(57)【特許請求の範囲】
【請求項１】
映像を撮影する撮影部と、
撮影された前記映像を表示する表示部と、
前記映像に含まれる顔の肌明度が変化する度に、前記映像の顔に重畳する化粧画像の明度を画素単位で変化させ、明度を変化させた前記化粧画像を前記映像の顔に重畳する化粧画像重畳部と、を具備し、
前記化粧画像重畳部は、
前記映像に含まれる顔領域の対象画素の肌明度を、対象画素と近い色相を有する周辺画素の明度を平均して算出する肌明度算出部と、
算出された前記肌明度が前回算出された肌明度から変化した場合、基準となる肌明度に対する算出された前記肌明度の割合に応じて、前記化粧画像の明度を算出する変化後化粧明度算出部と、
基準となる化粧画像の明度に対する算出された前記化粧画像の明度の変化の割合の半分で、前記化粧画像の彩度を算出する変化後化粧彩度算出部と、
を具備する画像合成装置。
【請求項２】
前記化粧画像重畳部は、化粧の性質に応じて、明度の変化率を変える、請求項１に記載の画像合成装置。
【請求項３】
映像を撮影する撮影ステップと、
撮影された前記映像を表示する表示ステップと、
前記映像に含まれる顔の肌明度が変化する度に、前記映像の顔に重畳する化粧画像の明度を画素単位で変化させ、明度を変化させた前記化粧画像を前記映像の顔に重畳する化粧画像重畳ステップと、を具備し、
前記化粧画像重畳ステップは、
前記映像に含まれる顔領域の対象画素の肌明度を、対象画素と近い色相を有する周辺画素の明度を平均して算出する肌明度算出ステップと、
算出された前記肌明度が前回算出された肌明度から変化した場合、基準となる肌明度に対する算出された前記肌明度の割合に応じて、前記化粧画像の明度を算出する変化後化粧明度算出ステップと、
基準となる化粧画像の明度に対する算出された前記化粧画像の明度の変化の割合の半分で、前記化粧画像の彩度を算出する変化後化粧彩度算出ステップと、
を具備する画像合成方法。
【請求項４】
映像を撮影する撮影部と、
撮影された前記映像を表示する表示部と、
前記映像に含まれる顔領域の対象画素の肌明度を算出する肌明度算出部と、
算出された前記肌明度が前回算出された肌明度から変化した場合、前記映像の顔に重畳する化粧画像の明度を変化させる変化後化粧明度算出部と、
算出された前記肌明度が前回算出された肌明度から変化した場合、前記映像の顔に重畳する化粧画像の彩度を変化させる変化後化粧彩度算出部と、
前記変化後化粧明度算出部が変化させた化粧画像の明度と、変化後化粧彩度算出部が変化させた化粧画像の彩度と、を用いて前記化粧画像を前記映像の顔に重畳する合成部と、
を具備し、
前記変化後化粧彩度算出部における彩度の変化の割合は、前記変化後化粧明度算出部における明度の変化の割合よりも小さい、
画像合成装置。
【発明の詳細な説明】
【技術分野】
【０００１】
本発明は、画像合成装置及び画像合成方法に関する。
【背景技術】
【０００２】
従来、顔を撮影した画像に頬紅等の化粧画像を重畳して仮想的に化粧を行うバーチャルメイクの技術が存在する。かかる技術により、実際に顔に化粧を施すことなく、化粧を施したときの顔の画像を生成して表示することができる。
【０００３】
ところで、近年、スマートフォン等を用いてユーザが自らを被写体として撮影する行為、いわゆる、自分撮りまたはセルフィー（以下、「セルフィー」という）が流行している。セルフィー画像は、ソーシャルメディアで友人等の閲覧に供されたり、ユーザ自身の観賞用にアルバムに保存されたりする。撮影されたセルフィー画像に対して、自分の顔を美しく見せる美顔処理を施すユーザも多い。その美顔処理の一つとして、バーチャルメイクがあり、化粧効果を与えることが可能である。
【０００４】
ここで、本願発明に関連する技術として、特許文献１に開示の技術が挙げられる。特許文献１には、背景画像を予め奥行方向の要素別に分離して記憶しておき、被写体画像を分離された背景画像の任意の位置に挟み込んで合成する画像合成装置が開示されている。この画像合成装置は、背景画像の奥行を含む位置に応じて、被写体を配置したときに背景画像に馴染む明度、彩度を予め記憶しておき、被写体画像を配置する位置に応じて、記憶された明度、彩度に被写体画像を補正して合成する。
【先行技術文献】
【特許文献】
【０００５】
【特許文献１】特開２０００−１９６９５６号公報
【発明の概要】
【発明が解決しようとする課題】
【０００６】
しかしながら、セルフィーにリアルタイムでバーチャルメイクを適用する場合、特に屋外では、顔を照らす明るさが変化することが多く、顔を照らす明るさが変化すると、肌に合成する化粧画像と肌の色合いが崩れて、化粧画像が浮いて見えてしまうという問題がある。
【０００７】
本発明の目的は、顔を照らす明るさが変化しても、化粧画像が肌に馴染んだ画像をリアルタイムに合成する画像合成装置及び画像合成方法を提供することである。
【課題を解決するための手段】
【０００８】
本発明の一態様に係る画像合成装置は、映像を撮影する撮影部と、撮影された前記映像を表示する表示部と、前記映像に含まれる顔の肌明度が変化する度に、前記映像の顔に重畳する化粧画像の明度を画素単位で変化させ、明度を変化させた前記化粧画像を前記映像の顔に重畳する化粧画像重畳部と、を具備し、前記化粧画像重畳部は、前記映像に含まれる顔領域の対象画素の肌明度を、対象画素と近い色相を有する周辺画素の明度を平均して算出する肌明度算出部と、算出された前記肌明度が前回算出された肌明度から変化した場合、基準となる肌明度に対する算出された前記肌明度の割合に応じて、前記化粧画像の明度を算出する変化後化粧明度算出部と、基準となる化粧画像の明度に対する算出された前記化粧画像の明度の変化の割合の半分で、前記化粧画像の彩度を算出する変化後化粧彩度算出部と、を具備する構成を採る。
【０００９】
本発明の一態様に係る画像合成方法は、映像を撮影する撮影ステップと、撮影された前記映像を表示する表示ステップと、前記映像に含まれる顔の肌明度が変化する度に、前記映像の顔に重畳する化粧画像の明度を画素単位で変化させ、明度を変化させた前記化粧画像を前記映像の顔に重畳する化粧画像重畳ステップと、を具備し、前記化粧画像重畳ステップは、前記映像に含まれる顔領域の対象画素の肌明度を、対象画素と近い色相を有する周辺画素の明度を平均して算出する肌明度算出ステップと、算出された前記肌明度が前回算出された肌明度から変化した場合、基準となる肌明度に対する算出された前記肌明度の割合に応じて、前記化粧画像の明度を算出する変化後化粧明度算出ステップと、基準となる化粧画像の明度に対する算出された前記化粧画像の明度の変化の割合の半分で、前記化粧画像の彩度を算出する変化後化粧彩度算出ステップと、を具備するようにした。
【発明の効果】
【００１０】
本発明によれば、顔を照らす明るさが変化しても、化粧画像が肌に馴染んだ画像をリアルタイムに合成することができる。
【図面の簡単な説明】
【００１１】
【図１】本発明の実施の形態１に係る画像合成装置の使用の様子の一例を示す図
【図２】本発明の実施の形態１に係る画像合成装置の構成を示すブロック図
【図３】図２に示した化粧画像重畳部の内部構成を示すブロック図
【図４】顔領域内で対象画素を横方向に移動させたときの肌明度の変化の様子を示す図
【図５】図３に示した化粧画像重畳部の処理手順を示すフロー図
【図６】油分量による化粧の分類を示す図
【図７】つやめきパウダーファンデーションの反射イメージを示す図
【図８】角度による反射強度の変化を示す図
【図９】本発明の実施の形態２に係る化粧画像重畳部の内部構成を示すブロック図
【図１０】反射角度α算出テーブルを示す図
【図１１】明度変化率β算出テーブルを示す図
【図１２】図９に示した化粧画像重畳部の処理手順を示すフロー図
【発明を実施するための形態】
【００１２】
以下、本発明の実施の形態について、図面を参照して詳細に説明する。ただし、実施の形態において、同一の機能を有する構成には、同一の符号を付し、重複する説明は省略する。
【００１３】
（実施の形態１）
＜装置の使用の様子＞
まず、本発明の実施の形態１に係る画像合成装置の使用の様子について説明する。
【００１４】
図１は、本発明の実施の形態１に係る画像合成装置の使用の様子の一例を示す図である。
【００１５】
図１に示すように、画像合成装置１００は、例えば、スマートフォンである。画像合成装置１００は、タッチパネル付き液晶ディスプレイ（以下、単に「ディスプレイ」という）と、当該ディスプレイと同じ側の面に配置された内側カメラおよび撮影ボタンを備えている（いずれも図示せず）。なお、撮影ボタンは、ディスプレイに表示されたボタン画像であってもよい。
【００１６】
画像合成装置１００は、内側カメラで撮影した映像をリアルタイムでディスプレイに表示する。画像合成装置１００は、撮影ボタンが押下されたタイミングで、表示中の映像から静止画像を切り出して記録したり、映像の記録を開始したりする。
【００１７】
ユーザ２００は、例えば、内側カメラを自分の顔に向け、ディスプレイに映し出された映像で自分の顔の見栄えを確認しながら、所望のタイミングで撮影ボタンを押下する。これが、いわゆるセルフィーと呼ばれる行為である。
【００１８】
画像合成装置１００は、ユーザのタッチパネルに対するタッチ操作に応じて、画像合成により、映像の顔の部分に対して化粧画像を重畳する。
【００１９】
＜装置の構成＞
次に、画像合成装置１００の構成について説明する。
【００２０】
図２は、本発明の実施の形態１に係る画像合成装置１００の構成を示すブロック図である。
【００２１】
図２において、画像合成装置１００は、撮影部１１０、情報格納部１２０、顔位置取得部１３０、化粧画像重畳部１４０、及び、表示部１５０を有する。
【００２２】
撮影部１１０は、例えば、上述の内側カメラ（デジタルカメラ）を有し、映像を撮影する。なお、撮影部１１０は、セルフィーが行われる場合、ユーザ、あるいは、ユーザを含む複数の人の顔の映像を撮影する。そして、撮影部１１０は、撮影した映像を顔位置取得部１３０および化粧画像重畳部１４０に出力する。
【００２３】
情報格納部１２０は、画像から画像に含まれる人の顔、顔部品を検出するための顔特徴情報、および、化粧画像を生成して映像の顔の部分に重畳するための化粧画像情報を予め格納している。また、情報格納部１２０は、基準の肌明度に対する化粧の色（色相Ｈｃ、明度Ｖｃ、彩度Ｓｃ）を格納する。
【００２４】
顔特徴情報は、例えば、多数の顔画像サンプルに基づく学習により生成された、目や唇といった顔部品の形状等の画像特徴や、顔部品の配置や顔の色ヒストグラムといった顔全体の画像特徴を示す情報である。顔部品のそれぞれには、目尻や口角といった、顔特徴点が含まれる。
【００２５】
顔位置取得部１３０は、入力された映像から、逐次、映像に含まれる画面における顔の位置、および顔内における顔部品の位置（顔特徴点の位置）の情報を取得する。
【００２６】
より具体的には、顔位置取得部１３０は、情報格納部１２０から顔または顔部品の検出に必要な顔特徴情報を取得する。顔位置取得部１３０は、入力映像に対して顔検出を実施して、画像フレーム中の顔の位置情報を得る。次に、顔位置取得部１３０は、得られた顔の位置情報を元に顔部品位置の検出を実施し、顔部品の位置情報を得る。顔検出および顔部品の検出については、公知の技術を採用することができる。そして、顔位置取得部１３０は、抽出された顔の映像における位置を、予め定められた、映像と映像を映し出す画面との位置関係に基づいて、画面における位置に変換する。
【００２７】
また、顔位置取得部１３０は、映像において、顔毎に位置を追跡する。例えば、顔位置取得部１３０は、映像を構成する時系列の複数の画像フレームのうち、時間的に連続する複数の画像フレームのそれぞれで検出された顔が、位置の差異が所定の範囲内である場合、当該の顔を同一の顔と判定する。顔位置取得部１３０は、かかる判定を映像の時間軸に沿って連続して行うことにより、顔の位置を追跡する。
【００２８】
また、顔位置取得部１３０は、各画面に複数の顔が含まれるとき、画面における、各顔の他の顔に対する相対位置を取得する。
【００２９】
また、顔位置取得部１３０は、取得された画面における顔の位置および顔部品の位置（以下、適宜「顔位置」という）を示す顔位置情報を、化粧画像重畳部１４０に出力する。
【００３０】
化粧画像重畳部１４０は、顔位置取得部１３０から出力された顔位置情報に基づいて、撮影部１１０から出力された映像の顔の部分に対して化粧画像を重畳する。このとき、化粧画像重畳部１４０は、情報格納部１２０から化粧画像を取得する。また、化粧画像重畳部１４０は、映像の顔の明度が変化する度に、重畳する化粧画像の明度等を画素単位で変化させ、明度等を変化させた化粧画像を映像の顔の部分に重畳する。化粧画像が適宜重畳された映像（以下「バーチャルメイク映像」という）は表示部１５０に出力される。
【００３１】
表示部１５０は、例えば、上記液晶ディスプレイを有し、化粧画像重畳部１４０から出力されたバーチャルメイク映像を液晶ディスプレイの画面に表示する。
【００３２】
なお、画像合成装置１００は、図示しないが、更に、上述の撮影ボタン、および、情報記録部を有する。情報記録部は、撮影ボタンが押下されたタイミングで、バーチャルメイク映像から静止画像を切り出して記録したり、バーチャルメイク映像の記録を開始したりする。
【００３３】
＜化粧画像重畳部の構成＞
次に、上述した化粧画像重畳部１４０の構成について説明する。
【００３４】
図３は、図２に示した化粧画像重畳部１４０の内部構成を示すブロック図である。
【００３５】
肌明度算出部２１０は、撮影部１１０から出力された映像、及び、顔位置取得部１３０から出力された顔位置情報に基づいて、顔領域の対象画素の肌明度Ｖｆを、対象画素と近い色相を有する周辺画素の明度を平均して算出し、算出した肌明度Ｖｆを変化後化粧明度算出部２２０に出力する。なお、参考のため、顔領域内で対象画素を横方向に移動させたときの肌明度Ｖｆの変化の様子を図４に示す。
【００３６】
変化後化粧明度算出部２２０は、情報格納部１２０から基準の肌明度Ｖｂに対する化粧の色（色相Ｈｃ、明度Ｖｃ、彩度Ｓｃ）の指定を受ける。変化後化粧明度算出部２２０は、肌明度算出部２１０から出力された肌明度Ｖｆが変化する度に、肌明度Ｖｆ及び指定を受けた化粧の明度Ｖｃを用いて、基準となる肌明度Ｖｂに対する肌明度Ｖｆの割合に応じて、変化後の化粧の明度Ｖｃ’を算出する。算出された化粧明度Ｖｃ’は、変化後化粧彩度算出部２３０及び合成部２４０に出力される。
【００３７】
変化後化粧彩度算出部２３０は、情報格納部１２０から基準の肌明度Ｖｂに対する化粧の色（色相Ｈｃ、明度Ｖｃ、彩度Ｓｃ）の指定を受け、指定を受けた化粧の明度Ｖｃ、彩度Ｓｃ、及び、変化後化粧明度算出部２２０から出力された変化後化粧明度Ｖｃ’を用いて、変化後の化粧の彩度Ｓｃ’を算出する。算出された彩度Ｓｃ’は合成部２４０に出力される。
【００３８】
合成部２４０は、情報格納部１２０から指定された基準の肌明度Ｖｂに対する化粧の色（色相Ｈｃ、明度Ｖｃ、彩度Ｓｃ）のうち、明度Ｖｃを変化後化粧明度算出部２２０から出力された明度Ｖｃ’に置き換え、彩度Ｓｃを変化後化粧彩度算出部２３０から出力された彩度Ｓｃ’に置き換える。合成部２４０は、変化後の化粧の色（色相Ｈｃ、明度Ｖｃ’、彩度Ｓｃ’）を用いて、撮影部１１０から出力された映像に合成して、合成画像を表示部１５０に出力する。
【００３９】
＜化粧画像重畳部の処理手順＞
次に、化粧画像重畳部１４０の処理手順について説明する。
【００４０】
図５は、図３に示した化粧画像重畳部１４０の処理手順を示すフロー図である。
【００４１】
ステップＳ０１において、化粧画像重畳部１４０は、情報格納部１２０から基準の肌明度Ｖｂに対する化粧の色（色相Ｈｃ、明度Ｖｃ、彩度Ｓｃ）の指定を受ける。
【００４２】
ステップＳ０２において、肌明度算出部２１０は、撮影部１１０から出力された映像に基づいて、対象画素の肌明度Ｖｆを、周辺画素の明度を平均して算出する。
【００４３】
ステップＳ０３において、変化後化粧明度算出部２２０は、化粧の明度Ｖｃに対してＶｆ／Ｖｂを乗算し、変化後の化粧の明度Ｖｃ’を算出する。
【００４４】
ステップＳ０４において、変化後化粧彩度算出部２３０は、明度の変化分（Ｖｃ’−Ｖｃ）に応じて、化粧の彩度Ｓｃも変化させ、変化後の化粧の彩度Ｓｃ’を次式（１）に従って算出する。
Ｓｃ’＝（Ｖｃ’−Ｖｃ）／２＋Ｓｃ  …（１）
【００４５】
ここで、式（１）より、彩度は、明度の変化の割合の半分で変化させている。すなわち、明度と彩度の変化の割合は、２：１となる。これは、一般的に、人間の眼は、彩度より明度の差異に敏感であることから、化粧の色の変化を人の眼の捉える色の差異に近づけるためである。
【００４６】
ステップＳ０５において、化粧画像重畳部１４０は、ステップＳ０１〜Ｓ０４までの処理を顔全体に適用したか否かを判定する。顔全体に適用している場合には、ステップＳ０６に移行し、顔全体に適用していない場合には、ステップＳ０２に戻る。
【００４７】
ステップＳ０６において、合成部２４０は、色相Ｈｃ、ステップＳ０３において求められた明度Ｖｃ’、及び、ステップＳ０４において求められた彩度Ｓｃ’の色を有するバーチャルメイクを顔の映像に合成する。
【００４８】
このように、実施の形態１の画像合成装置１００では、撮影部１１０が撮影した映像の顔の肌明度が変化する度に、重畳する化粧画像の明度及び彩度を画素単位で変化させ、明度及び彩度を変化させた化粧画像を映像の顔の部分に重畳する。これにより、顔を照らす明るさが変化しても、化粧画像が肌に馴染んだ画像をリアルタイムに合成することができる。
【００４９】
（実施の形態２）
実施の形態１では、肌の明度変化に応じて、化粧の明度を変化させる場合について説明したが、本発明の実施の形態２では、化粧に特有の反射強度による明度変化を考慮する場合について説明する。
【００５０】
図６は、油分量による化粧（ファンデーション）の分類を示している。図６に示すように、油分量が少ないと、パウダーファンデーションとなり、油分量が中程度だと、つやめきパウダーファンデーションとなり、油分量が多いと、リキッドファンデーションとなる。
【００５１】
図７は、つやめきパウダーファンデーションの反射イメージを示す図である。図に示すように、入射光に対して、最も強く光る正反射光と、弱く明るく光る拡散反射光との２種類の反射光が生じる。なお、反射光と肌とのなす角を反射角度αとする。図７では、正反射光と肌とのなす角を反射角度αで表している。
【００５２】
図８は、角度による反射強度の変化を示す図である。図８において、横軸は角度を示し、縦軸は反射強度を示している。なお、角度は、正反射光を基準（０°）とし、正反射光とのなす角度を示す。図８では、パウダー、つやめきパウダー、リキッドの各種ファンデーションの反射強度を示している。すなわち、パウダーファンデーションは、反射強度が角度によって大きく変わらず、中程度である。リキッドファンデーションは、角度０°における反射強度が大きくピークを形成し、角度０°を外れると急激に反射強度が低下する。つやめきパウダーファンデーションは、角度０°における反射強度を頂点として、角度が広がるにつれて反射強度が弱くなる。
【００５３】
図中、点線枠で囲んだ部分が示すように、同じ角度（−１０°）でも、ファンデーションの性質によって反射強度が異なる。すなわち、使用するファンデーションの性質及び反射角度によって明度が変化することが分かる。
【００５４】
＜化粧画像重畳部の構成＞
次に、本発明の実施の形態２に係る化粧画像重畳部１４０の構成について説明する。
【００５５】
図９は、本発明の実施の形態２に係る化粧画像重畳部１４０の内部構成を示すブロック図である。図９において、図３と異なる点は、反射角度取得部３２０を追加し、肌明度算出部２１０を肌明度算出部３１０に変更し、変化後化粧明度算出部２２０を変化後化粧明度算出部３３０に変更した点である。
【００５６】
肌明度算出部３１０は、撮影部１１０から出力された映像、及び、顔位置取得部１３０から出力された顔位置情報に基づいて、顔領域の対象画素の肌明度Ｖｆを、対象画素と近い色相を有する周辺画素の明度を平均して算出し、算出した肌明度Ｖｆを反射角度取得部３２０に出力する。また、肌明度算出部３１０は、撮影部１１０から出力された映像に基づいて、正反射している箇所（顔の肌領域で明度が一番高い部分）の肌明度Ｖｈを算出し、算出した肌明度Ｖｈと、顔領域で最も暗い部分の肌明度Ｖｌとを反射角度取得部３２０に出力する。
【００５７】
反射角度取得部３２０は、図１０に示すように、(Ｖｆ-Ｖｌ)／(Ｖｈ−Ｖｌ)に対応付けられた反射角度αのテーブルを有している。反射角度取得部３２０は、肌明度算出部３１０から出力された肌明度Ｖｆが変化する度に、肌明度算出部３１０から出力された肌明度Ｖｆ、Ｖｈ、Ｖｌを用いて、(Ｖｆ-Ｖｌ)／(Ｖｈ−Ｖｌ)に対応する反射角度αをテーブルから取得する。取得した反射角度αは変化後化粧明度算出部３３０に出力される。
【００５８】
変化後化粧明度算出部３３０は、図１１に示すように、化粧の性質毎に反射角度αに対応付けられた明度変化率βのテーブルを有している。変化後化粧明度算出部３３０は、反射角度取得部３２０から出力された反射角度αに対応する明度変化率βをテーブルから取得する。変化後化粧明度算出部３３０は、取得した明度変化率βを化粧の明度Ｖｃに乗算し、変化後の化粧明度Ｖｃ’を算出して、変化後化粧彩度算出部２３０に出力する。
【００５９】
＜化粧画像重畳部の処理手順＞
次に、化粧画像重畳部１４０の処理手順について説明する。
【００６０】
図１２は、図９に示した化粧画像重畳部１４０の処理手順を示すフロー図である。ただし、図１２において、図５と共通する部分には、図５と同一の符号を付し、重複する説明は省略する。
【００６１】
ステップＳ１１において、肌明度算出部３１０は、撮影部１１０から出力された映像に基づいて、正反射している箇所の肌明度Ｖｈを算出する。
【００６２】
ステップＳ１２において、肌明度算出部３１０は、撮影部１１０から出力された映像に基づいて、最も暗い部分の肌明度Ｖｌを特定する。
【００６３】
ステップＳ１３において、反射角度取得部３２０は、（Ｖｆ−Ｖｌ）／（Ｖｈ−Ｖｌ）に対応する反射角度αをテーブルから取得する。
【００６４】
ステップＳ１４において、変化後化粧明度算出部３３０は、ステップＳ１３において取得された反射角度αに対応する明度変化率βをテーブルから取得し、取得した明度変化率βを化粧の明度Ｖｃに乗算し、変化後の明度Ｖｃ’を算出する。
【００６５】
このように、実施の形態２の画像合成装置１００では、撮影部１１０が撮影した映像の顔の肌明度が変化する度に、化粧の性質による光の反射強度を考慮して明度の変化率を変え、重畳する化粧画像の明度及び彩度を画素単位で変化させ、明度及び彩度を変化させた化粧画像を映像の顔の部分に重畳する。これにより、顔を照らす明るさが変化しても、化粧画像が肌に馴染んだ画像をリアルタイムに合成することができる。
【産業上の利用可能性】
【００６６】
本発明にかかる画像合成装置及び画像合成方法は、顔を照らす明るさが変化しても、化粧画像が肌に馴染んだ画像をリアルタイムに合成するのに有用である。
【符号の説明】
【００６７】
１００  画像合成装置
１１０  撮影部
１２０  情報格納部
１３０  顔位置取得部
１４０  化粧画像重畳部
１５０  表示部
２１０、３１０  肌明度算出部
２２０、３３０  変化後化粧明度算出部
２３０  変化後化粧彩度算出部
２４０  合成部
３２０  反射角度取得部
【図１】
0006583660.tif 000002
【図２】
0006583660.tif 000003
【図３】
0006583660.tif 000004
【図４】
0006583660.tif 000005
【図５】
0006583660.tif 000006
【図６】
0006583660.tif 000007
【図７】
0006583660.tif 000008
【図８】
0006583660.tif 000009
【図９】
0006583660.tif 000010
【図１０】
0006583660.tif 000011
【図１１】
0006583660.tif 000012
【図１２】
0006583660.tif 000013